【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
改善された緻密度および改善された流動性を有する高性能セメント組成物の調製方法であって、
−  低級もしくは中間、粗粒炭酸塩系充填材が、
−  有効な量の、超微粉充填材粒子からなるもしくはこれらを含む、少なくとも１種の処理剤による処理によって、高性能級までアップグレードされる、少なくとも１つのステップ
を含むことを特徴とする方法。
【請求項２】
アップグレードが、低級もしくは中間、粗粒炭酸塩系充填材を、超微粉充填材とブレンドまたは混合することによって行われることを特徴とする、請求項１に記載の方法。
【請求項３】
少量の流体化剤の存在において行われることを特徴とする、請求項１または２に記載の方法。
【請求項４】
流体化剤の量または比率が、流体化剤３から４ｇ乾燥重量／組成物の全重量、であることを特徴とする、請求項３に記載の方法。
【請求項５】
超微粉充填材処理ステップが、０．５から２５乾燥重量％の超微粉充填材／低級もしくは中間、粗粒炭酸塩系充填材＋超微粉充填材の合計乾燥重量、を使用することを特徴とする、請求項１から４のいずれかに記載の方法。
【請求項６】
超微粉充填材粒子が、
−  約１ミクロンから約６ミクロンのｄ５０
および
−  ブレーン＞１０００ｍ２／ｋｇとして通常定義される高い比表面積
によって定義されることを特徴とする、請求項１から５のいずれかに記載の方法。
【請求項７】
超微粉充填材が、
−  ｄ５０＝約１〜２ミクロンのシリカフューム、
−  ｄ５０＝約３から６ミクロンのメタカオリン、
−  ｄ５０＝約１から５ミクロンのｄ５０白亜、
−  ｄ５０約１ミクロンの方解石、
−  ｄ５０約１から６ミクロンの大理石、
−  ｄ５０  １〜２ミクロンの超微粉炭酸カルシウム、
−  ｄ５０：１．８６〜２．４ミクロン、ＢＥＴ＝２．７ｍ２／ｇの超微粉シリカ製品、
−  ｄ５０＝１．５２ミクロンのＰＣＣ（沈降炭酸カルシウム）、
−  ｄ５０＝２．２９ミクロンの改質炭酸カルシウム（「ＭＣＣ」）
の中から選択されることを特徴とする、請求項１から６のいずれかに記載の方法。
【請求項８】
超微粉充填材が、超微粉炭酸カルシウム、シリカフューム、メタカオリン、改質炭酸カルシウム（ＭＣＣ）およびＰＣＣ、ならびにそれらの混合物の中から選択されることを特徴とする、請求項６または７に記載の方法。
【請求項９】
粗粒炭酸カルシウム系充填材が、炭酸カルシウムだけを含有し、このことが、異なるタイプの他の充填材を有しないことを意味することを特徴とする、請求項１から８のいずれかに記載の方法。
【請求項１０】
粗粒炭酸塩系充填材が、
−  天然炭酸カルシウムもしくは粉砕炭酸カルシウム（ＧＣＣ）；
−  沈降炭酸カルシウムであるＰＣＣ；
−  または、大理石、白亜、方解石ならびに他の天然および周知の形態の天然カルシウムからなる群から選択されるＣａＣＯ３含有岩石のお互いとの混合物、ならびにＧＣＣおよびＰＣＣのブレンドもしくは混合物
の中から選択されることを特徴とする、請求項１から９のいずれかに記載の方法。
【請求項１１】
粗粒炭酸塩系充填材が、
−  ｄ５０＝７ミクロン、ブレーン＝４６２ｍ２／ｇの粗粒炭酸カルシウム、
−  ｄ５０＝約１３．３ミクロンの粗粒炭酸カルシウム、
−  ｄ５０＝１５ミクロン、ブレーン＝３６５ｍ２／ｇの粗粒炭酸カルシウム
中から選択されることを特徴とする、請求項１から１０のいずれかに記載の方法。
【請求項１２】
考察される粗粒充填材において、ＧＣＣ／ＰＣＣ比率が、０〜１００から１００〜０乾燥重量％であることを特徴とする、請求項１０または１１に記載の方法。
【請求項１３】
粗粒炭酸塩系充填材が、混練もしくは混合装置に導入される前に、超微粉充填材により有効に処理されることを特徴とする、請求項１から１２のいずれかに記載の方法。
【請求項１４】
前記充填材が、混練もしくは混合装置に導入された後、超微粉充填材によって処理され、そして、前記充填材が、同時に混練もしくは混合装置に導入される有効な処理量の処理用超微粉充填材により有効に処理される、または、これらの充填材および有効な量の処理用超微粉充填材が、別々に導入されるが、非常に接近した場所および時間において混練もしくは混合装置に導入されるような形で導入され、有効に処理される、そのいずれかであることを特徴とする、請求項１から１３のいずれかに記載の方法。
【請求項１５】
前記充填材が、混練もしくは混合装置に導入される前に一部、有効な処理量の超微粉充填材により有効に処理され、またこの混練もしくは混合装置に前処理状態で導入された後に一部、有効な処理量の超微粉充填材により有効に処理され、２つの部分処理の合計が、処理に関して有効であり、処理用超微粉充填材の第２の部分もしくは量が、前処理した充填材と同時に、または、前処理した充填材および処理用超微粉充填材の第２の部分が別々に導入されるが非常に接近した場所および時間で導入されるような形のいずれかで混練もしくは混合装置に導入されることを特徴とする、請求項１から１３のいずれかに記載の方法。
【請求項１６】
これらの充填材を少なくとも一部混練もしくは混合装置内部で処理しようとする場合、対応する量または比率の処理用超微粉充填材が、混練もしくは混合装置に直接添加されなければならず、または、混練もしくは混合装置に導入する直前に対象になる充填材と混和して添加されなければならないことを特徴とする、請求項１５に記載の方法。
【請求項１７】
ただ１種の粗粒炭酸塩系充填材が、１種の超微粉充填材により、または２種の超微粉充填材の配合物により処理されることを特徴とする、請求項１から１６のいずれかに記載の方法。
【請求項１８】
１種の充填材が、１種の超微粉充填材により処理されることを特徴とする、請求項１から１７のいずれかに記載の方法。
【請求項１９】
下記の条件：
０．５から２５乾燥重量％の超微粉充填材／粗粒炭酸塩系充填材＋超微粉充填材の合計乾燥重量
のもとに行われることを特徴とする、請求項１から１８のいずれかに記載の方法。
【請求項２０】
流体化剤が、改質ポリカルボキシレートであることを特徴とする、請求項３から１９のいずれかに記載の方法。
【請求項２１】
セメントが最初に添加され、次いで充填材が添加される、もしくはこの逆であること、またはセメントおよび充填材が一緒に、プレミックスとして導入され得ることを特徴とする、請求項１から２０のいずれかに記載の方法。
【請求項２２】
セメントおよび充填材が一緒に、プレミックスとして導入されることを特徴とする、請求項１から２０のいずれかに記載の方法。
【請求項２３】
バッチ方式または連続方式で行われることを特徴とする、請求項１から２２のいずれかに記載の方法。
【請求項２４】
通常の添加剤が添加され得る、１つ以上のステップを包含することを特徴とする、請求項１から２３のいずれかに記載の方法。
【請求項２５】
請求項１から２４のいずれかにおいて定義された少なくとも１種の超微粉充填材とプレブレンドされた、粗粒炭酸カルシウム系充填材のブレンドからなるもしくはこのブレンド含むことを特徴とする製品。
【請求項２６】
請求項２５において定義された、少なくとも１種の超微粉充填材との粗粒炭酸カルシウム系充填材のブレンドを、水性系と混合することによって得られた水性組成物からなるもしくはこの水性組成物を含むことを特徴とする製品。
【請求項２７】
請求項２５または２６に記載のブレンドまたは水性組成物、すなわち、少なくとも１種の超微粉充填材により処理された低級もしくは中間級、粗粒炭酸塩系充填材のブレンドを組み込んでいることを特徴とするセメント組成物。
【請求項２８】
請求項２５から２７のいずれかに記載のブレンドまたは水性組成物およびセメント組成物の、任意のセメント産業における使用。
【請求項２９】
請求項２５から２７のいずれかに記載のブレンド、水性組成物およびセメント組成物の、それらの組成物からそのように得られたセメントエレメントまたは製品を製造するための使用。
【請求項３０】
請求項１から２３のいずれかのもとに製造されるセメントエレメントまたは製品。
【請求項３１】
セメント産業における、請求項３０に記載のセメントエレメントまたは製品の使用。